(57)【要約】【課題】通信が行われる通信端末相互間の設定を容易に行うことを可能とする。【解決手段】２台のデジタルカメラ１０相互間で通信を行う際に、送信元のデジタルカメラ１０について、送信対象画像の設定、送信枚数の設定、及び通信規格の選択が行われた場合に、送信元のデジタルカメラに、送信対象画像に重ねて、選択された通信規格に応じたマークなど表示させる。そして、ユーザによって、送信先のデジタルカメラ１０による送信元のデジタルカメラ１０の表示部３２の撮影が行われると、この送信先のデジタルカメラ１０は、撮影した画像に基づいて最適な通信規格を選択し、所定の枚数の送信対象画像を受信する。したがって、送信先となるデジタルカメラ１０のユーザは、送信元のデジタルカメラ１０の表示部３２を撮影するだけで、通信に必要な操作や、認証に必要なコードなどの情報を入力することなく、画像を取得することができる。【選択図】図１
2014042243.tif 000002
【特許請求の範囲】
【請求項１】
送信する画像とともに、前記画像を送信するための通信情報を表示する表示手段を有する送信端末と、
前記表示手段に表示された画像を撮影する撮影手段を有し、前記撮影された画像から取得した前記通信情報を用いて、前記送信端末からの情報を受信する受信端末と、
を備え、
前記通信情報は、前記送信端末の無線方式を表す情報を含み、
前記受信端末は、この情報が表す無線方式によって前記送信端末との無線接続を開始する、
通信システム。
【請求項２】
前記送信端末の無線方式は、無線ＬＡＮ、ブルートゥース、及びＩｒＤＡの何れか１つである請求項１に記載の通信システム。
【請求項３】
前記通信情報は、前記送信端末と前記受信端末との間の認証情報を含み、
前記送信端末は、前記画像を送信する前に、前記認証情報に基づく認証を実行する請求項１又は２に記載の通信システム。
【請求項４】
前記通信情報は、通信情報の内容に応じた文字、数字、又は図形である請求項１乃至３のいずれか一項に記載の通信システム。
【請求項５】
前記通信情報は、前記画像に重なって表示される請求項１乃至４のいずれか一項に記載の通信システム。
【請求項６】
前記表示手段は、前記通信情報と、前記画像とを交互に表示する請求項１乃至４のいずれか一項に記載の通信システム。
【請求項７】
前記通信情報は、送信する画像の数を含む請求項１乃至６のいずれか一項に記載の通信システム。
【請求項８】
送信端末と受信端末との間で情報を通信するための通信方法であって、
前記送信端末に、送信する画像とともに、前記画像を送信するための通信情報を表示させる工程と、
前記受信端末に、前記送信端末が表示した画像を撮影させる工程と、
前記受信端末に、前記撮影された画像から前記通信情報を取得させる工程と、
を含み、
前記通信情報は、前記送信端末の無線方式を表す情報を含み、
前記受信端末に、この情報が表す無線方式によって前記送信端末との無線接続を開始させる工程を更に含む、
通信方法。
【発明の詳細な説明】
【技術分野】
【０００１】
本発明は、通信システム及び通信方法に関し、更に詳しくは、送信端末と受信端末とを有する通信システム、及び送信端末と受信端末との間で情報を通信するための通信方法に関する。
【背景技術】
【０００２】
デジタルカメラや、撮影機能を有する携帯電話で撮影された画像を、例えばブルートゥース（Bluetooth）、無線ＬＡＮ（Local Area Network）、或いはＩｒＤＡ（Infrared Data Association）などの通信規格に基づいて、他の受信端末に送信する場合には、送信元の機器と送信先の機器の双方において、通信に関する所定の設定を行う必要がある。例えば、送信元の通信端末のユーザが、送信対象となる画像を選択し、通信規格の選択を行った後に、送信先の通信端末のユーザは、送信元の通信端末において選択された通信規格を選択するための操作を行って、通信端末相互間の通信規格を一致させる必要がある。
【０００３】
一般に、通信端末に対する操作を完結するためには、例えば機能画面の表示を実行するためのコマンドや、特定の機能を選択するためのコマンドなど、複数のコマンドを通信端末に入力する必要がある。特に通信端末は、携帯性が重視されているため、この種の操作は、ある程度煩雑な作業となることが多い。そこで、この種の複数のコマンドからなる操作を、容易に行うための技術が種々提案されている（例えば、特許文献１参照）。
【先行技術文献】
【特許文献】
【０００４】
【特許文献１】特開２００６−２５０７５号公報
【発明の概要】
【発明が解決しようとする課題】
【０００５】
特許文献１に記載された技術は、例えば、複数の記号や文字列で表された操作内容を撮影して通信端末に取り込むことで、複数のコマンドを通信端末に入力することなく、特定の操作を完結することを可能とする技術である。しかしながら、この技術では、操作内容が表示された媒体が必要となるため、携帯端末間で、通信方式等を統一させるなどの操作には適用することが困難である。
【０００６】
本発明は、上述の事情の下になされたもので、通信が行われる通信端末相互間の設定を容易に行うことを目的とする。
【課題を解決するための手段】
【０００７】
上記目的を達成するため、本発明の通信システムは、送信する画像とともに、前記画像を送信するための通信情報を表示する表示手段を有する送信端末と、前記表示手段に表示された画像を撮影する撮影手段を有し、前記撮影された画像から取得した前記通信情報を用いて、前記送信端末からの情報を受信する受信端末と、を備え、前記通信情報は、前記送信端末の無線方式を表す情報を含み、前記受信端末は、この情報が表す無線方式によって前記送信端末との無線接続を開始する。
【０００８】
また、前記送信端末の無線方式は、無線ＬＡＮ、ブルートゥース、及びＩｒＤＡの何れか１つとしてもよい。
【０００９】
また、前記通信情報は、前記送信端末と前記受信端末との間の認証情報を含み、前記送信端末は、前記画像を送信する前に、前記認証情報に基づく認証を実行することとしてもよい。
【００１０】
また、前記通信情報は、通信情報の内容に応じた文字、数字、又は図形であることとしてもよい。
【００１１】
また、前記通信情報は、前記画像に重なって表示されることとしてもよい。
【００１２】
また、前記表示手段は、前記通信情報と、前記画像とを交互に表示することとしてもよい。
【００１３】
また、前記通信情報は、送信する画像の数を含むこととしてもよい。
【００１４】
上記目的を達成するために、本発明の通信方法は、送信端末と受信端末との間で情報を通信するための通信方法であって、前記送信端末に、送信する画像とともに、前記画像を送信するための通信情報を表示させる工程と、前記受信端末に、前記送信端末が表示した画像を撮影させる工程と、前記受信端末に、前記撮影された画像から前記通信情報を取得させる工程と、を含み、前記通信情報は、前記送信端末の無線方式を表す情報を含み、前記受信端末に、この情報が表す無線方式によって前記送信端末との無線接続を開始させる工程を更に含む。
【発明の効果】
【００１５】
本発明によれば、通信が行われる通信端末相互間の設定を容易に行うことが可能となる。
【図面の簡単な説明】
【００１６】
【図１】本発明の実施形態に係るデジタルカメラのブロック図である。
【図２】デジタルカメラの表示部を示す図である。
【図３】情報を送信するデジタルカメラの動作を説明するためのフローチャートである。
【図４】情報を受信するデジタルカメラの動作を説明するためのフローチャートである。
【図５】マークの変形例を説明するための図である。
【発明を実施するための形態】
【００１７】
以下、本発明の一実施形態を、図１〜図４を参照しつつ説明する。図１は本実施形態に係るデジタルカメラ１０の概略的な構成を示すブロック図である。図１に示されるように、デジタルカメラ１０は、撮影ユニット３１、表示部３２、表示バッファ３３、コマンド画像作成部３４、通信部３５、コマンド画像抽出部３６、コマンド画像解析部３７、コマンド入力部３８、上記各部を統括的に制御する制御部２０、及び制御部２０と表示部３２等を接続するバス２１を備えている。
【００１８】
撮影ユニット３１は、被写体を撮影することにより取得した画像を電気信号に変換して出力するユニットである。この撮影ユニット３１では、光学系を介して入射する光が、ＣＣＤセンサ（Charge Coupled Device）或いはＣＭＯＳ（Complementary Metal Oxide Semiconductor）センサなどにより電気信号に変換され、制御部２０へ出力される。
【００１９】
表示部３２は、例えばＬＣＤ（Liquid Crystal Display）などを含んで構成されている。この表示部３２は、制御部２０の指示により、表示バッファ３３に蓄積された画像データに基づく画像を表示する。
【００２０】
表示バッファ３３は、撮影ユニット３１から、制御部２０を介して供給される画像データ、コマンド画像作成部３４によって作成された画像データを順次保存する。
【００２１】
コマンド画像作成部３４は、ユーザがコマンド入力部３８を介して入力したコマンドに応じた画像（以下、コマンド画像ともいう）を作成し、作成したコマンド画像に関するデータを出力する。
【００２２】
通信部３５は、例えば、無線ＬＡＮインターフェイス、ブルートゥースユニット、ＩｒＤＡユニットなどを含んで構成されている。そして、ブルートゥース、ＩｒＤＡなどの通信規格に基づいて、他の情報通信機器と通信を行う。
【００２３】
コマンド画像抽出部３６は、制御部２０の指示に基づいて、撮影ユニット３１によって撮影された画像を参照し、参照した画像に所定のコマンドを表すコマンド画像が含まれている場合には、このコマンド画像を抽出する。
【００２４】
コマンド画像解析部３７は、制御部２０の指示に基づいて、コマンド画像抽出部３６によって抽出されたコマンド画像を解析し、当該コマンド画像に対応するコマンドの意味内容を特定する。
【００２５】
コマンド入力部３８は、図２を参照するとわかるように、デジタルカメラ１０を駆動するための電源スイッチ、被写体の撮影を指示するためのシャッターボタン、光学系の焦点距離を設定するためのズームキー、撮影した画像データを管理するための各種ボタンスイッチなどを含んで構成されている。ユーザは、このコマンド入力部３８を介して、デジタルカメラ１０を操作することができる。
【００２６】
制御部２０は、ＣＰＵ（Central Processing Unit）、ＣＰＵの作業領域として機能するＲＡＭ（Random Access Memory）等からなる主記憶部、ＲＯＭ（Read Only Memory）、磁気ディスク等の不揮発性メモリから構成される補助記憶部などから構成されている。
【００２７】
この制御部２０は、補助記憶部に記憶されている各種パラメータやプログラムに従って、撮影ユニット３１を制御して被写体を撮影する。そして、コマンド入力部３８から入力されたユーザの指示に基づいて、各部を制御して、撮影ユニット３１によって撮影された画像を他の受信端末に送信する。また、撮影ユニット３１によって撮影された画像に、所定のコマンドを示すコマンド画像が含まれている場合には、コマンド画像に応じた処理を実行する。これにより、例えばデジタルカメラ１０は、このデジタルカメラ１０と同等の機能を有するデジタルカメラ１０との間で、容易に撮影した画像の送信、及び受信を行うことができる。
【００２８】
なお、上述の本実施形態に係るデジタルカメラ１０では、制御部２０が、コマンド画像作成部３４、コマンド画像抽出部３６、コマンド画像解析部３７を制御する構成としたが、この構成に限定されず、制御部２０が、補助記憶部に記憶されている各種パラメータやプログラムに従って、コマンド画像作成部３４、コマンド画像抽出部３６、コマンド画像解析部３７の一部又は全ての機能を実現してもよい。また、制御部２０に接続された画像処理プロセッサなどにおいて、コマンド画像作成部３４、コマンド画像抽出部３６、コマンド画像解析部３７の一部又は全ての機能を実現してもよい。
【００２９】
以下、図３及び図４を参照しつつ、送信元のデジタルカメラ１０と送信先のデジタルカメラ１０との間の画像の送受信について説明する。なお、以下の説明では、便宜上送信元のデジタルカメラ１０をデジタルカメラ１０Ａと、送信先のデジタルカメラ１０をデジタルカメラ１０Ｂと表示する。また、デジタルカメラ１０Ａ，１０Ｂを構成する各部については例えば制御部１０Ａ、或いは制御部１０Ｂなどと表示する。
【００３０】
図３のフローチャートは、画像を送信する側の通信端末としてのデジタルカメラ１０Ａによって実行されるプログラムに対応したフローチャートである。また、図４のフローチャートは、画像を受信する側の通信端末としてのデジタルカメラ１０Ｂによって実行されるプログラムに対応したフローチャートである。
【００３１】
デジタルカメラ１０Ａの制御部２０Ａ、及びデジタルカメラ１０Ｂの制御部２０Ｂそれぞれは、ユーザによって電源スイッチがオンにされると、それぞれ図３或いは図４に示されるフローチャートに示される処理を実行する。
【００３２】
まず、デジタルカメラ１０Ａの制御部２０Ａは、最初のステップＳ２０１で、ユーザからの指令の有無を確認する。例えば、ユーザがコマンド入力部３８を操作することによって、送信の対象となる送信対象画像及び送信枚数を入力し、ブルートゥース、ＩｒＤＡ等の通信規格を選択した場合には、ステップＳ２０１での判断が肯定される。一方、送信対象画像、送信枚数、及び通信規格のうちのいずれかが入力されていない場合には、ステップＳ２０１での判断は否定される。制御部２０Ａは、ここでの判断が肯定されると次のステップＳ２０２へ移行する。
【００３３】
ステップＳ２０２では、制御部２０Ａは、ユーザからの入力に応じて、送信対象となる画像を選択する。そして、制御部２０Ａは、送信対象画像に関する情報を表示バッファ３３Ａへ格納する。これにより、送信対象画像が表示部３２に表示される。
【００３４】
次のステップＳ２０３では、制御部２０Ａは、ユーザからの入力に応じて、送信対象となる画像の送信すべき枚数を決定する。
【００３５】
次のステップＳ２０４では、制御部２０Ａは、コマンド画像作成部３４Ａにコマンド画像の作成を指示する。コマンド画像作成部３４Ａは、ユーザの入力に対応するコマンドに対応したコマンド画像を作成し、このコマンド画像に関する情報を表示バッファ３３Ａへ格納する。例えば、ユーザによって、通信規格としてブルートゥースが選択された場合には、コマンド画像作成部３４Ａは、通信規格としてブルートゥースが選択されたことを意味するマークＭ１に関する画像情報を作成し、表示バッファ３３Ａへ格納する。これにより、一例として図２を参照するとわかるように、マークＭ１が、表示部３２に表示された送信対象画像に重畳された状態で表示される。
【００３６】
また、コマンド画像作成部３４Ａは、送信対象画像を３枚送信することを意味するコマンド画像Ｍ２に関する画像情報を作成し、表示バッファ３３Ａへ格納する。これにより、図２を参照するとわかるように、コマンド画像Ｍ２が、表示部３２に表示された送信対象画像に重畳された状態で表示される。
【００３７】
次のステップＳ２０５では、制御部２０Ａは、通信部３５Ａに、デジタルカメラ１０Ｂからの通信接続要求の待ち受けを指示する。そして、通信部３５Ａが、デジタルカメラ１０Ｂからの通信接続要求を受信すると（ステップＳ２０５：Ｙｅｓ）、制御部２０Ａは、次のステップＳ２０６へ移行する。これにより、デジタルカメラ１０Ａとデジタルカメラ１０Ｂとの間の通信が開始される。
【００３８】
一方、デジタルカメラ１０Ｂの制御部２０Ｂは、ユーザによって電源スイッチがオンにされると、ユーザによる撮影の準備を行う。そして、ユーザによってデジタルカメラ１０Ｂのシャッターボタンが押下されると、撮影ユニット３１Ｂに撮影を指示する。そして、制御部２０Ｂは、撮影結果としての画像が、図２に示されるデジタルカメラ１０Ａの表示部３２であると判断した場合には（ステップＳ３０１：Ｙｅｓ）、次のステップＳ３０２へ移行する。
【００３９】
次のステップＳ３０２では、制御部２０Ｂは、コマンド画像抽出部３６Ｂに、コマンド画像の抽出を指示する。コマンド画像抽出部３６Ｂは、デジタルカメラ１０Ｂによって撮影された画像に含まれるすべてのコマンド画像の抽出を行う。例えば、コマンド画像の抽出は、予めデジタルカメラ１０Ｂにコマンド画像に対応したテンプレートを記憶させておき、撮影して得られた画像に対してテンプレートマッチング処理を行うことにより実現できる。本実施形態では、例えば図２に示されるマークＭ１の画像、及びマークＭ２の画像が抽出される。
【００４０】
次のステップＳ３０３では、制御部２０Ｂは、コマンド画像解析部３７Ｂに、コマンド画像の解析を指示する。コマンド画像解析部３７Ｂは、ステップＳ３０２で抽出されたコマンド画像の解析を行い、コマンド画像に対応するコマンドを特定する。例えば、コマンド画像解析部３７Ｂは、マークＭ１の画像の解析により、デジタルカメラ１０Ａの制御部２０Ａは、通信規格としてブルートゥースを選択したことを把握する。また、コマンド画像解析部３７Ｂは、マークＭ２の画像の解析により、デジタルカメラ１０Ａの制御部２０Ａは、送信対象となる画像を３枚送信する準備をしたことを把握する。
【００４１】
次のステップＳ３０４では、制御部２０Ｂは、通信部３５Ｂに、デジタルカメラ１０Ａへのアクセスを指示する。通信部３５Ｂは、ステップＳ３０３での解析結果に基づいて、通信規格としてブルートゥースを選択し、デジタルカメラ１０Ａにアクセスする。これにより、デジタルカメラ１０Ａとデジタルカメラ１０Ｂとが接続される。次に、通信部３５Ｂは、ステップＳ３０３での解析結果を、デジタルカメラ１０Ａに通知する。なお、解析結果とは、例えばマークＭ１及びマークＭ２に対応するコマンドの内容等である。
【００４２】
デジタルカメラ１０Ａの制御部２０Ａは、ステップＳ２０６で、デジタルカメラ１０Ｂの制御部２０Ｂによって通知された解析結果としてのマークＭ１及びマークＭ２に対応するコマンドの内容が、デジタルカメラ１０Ａの表示部３２に表示されているマークＭ１及びマークＭ２のコマンド内容と一致するか否かを判断する。制御部２０Ｂによって通知された解析結果としてのマークＭ１及びマークＭ２に対応するコマンドの内容が、デジタルカメラ１０Ａの表示部３２に表示されているマークＭ１及びマークＭ２のコマンド内容と一致する場合には、ステップＳ２０６での判断が肯定され、一致しない場合には、ステップＳ２０６での判断が否定される。制御部２０Ａは、ステップＳ２０６での判断が否定された場合には（ステップＳ２０６：Ｎｏ）、通信接続を切断した後、処理を終了する。また、ステップＳ２０６での判断が肯定された場合には（ステップＳ２０６：Ｙｅｓ）、制御部２０Ａは、次のステップＳ２０７へ移行する。
【００４３】
次のステップＳ２０７では、制御部２０Ａは、通信部３５Ａに送信対象画像の送信を指示する。通信部３５Ａは、所定枚数の送信対象画像の送信を実行する。
【００４４】
次のステップＳ２０８では、制御部２０Ａは、通信部３５Ａによる送信対象画像の送信の実行が終了したか否かを判断する。通信部３５Ａによる送信が完了していない場合には、ステップＳ２０８での判断が否定され、通信部３５Ａによる送信が完了した場合には、ステップＳ２０８での判断は肯定される。制御部２０Ａは、ステップＳ２０８での判断が否定された場合には、ステップＳ２０７へ戻り、ステップＳ２０８での判断が肯定されるまで、ステップＳ２０７及びステップＳ２０８での処理を繰り返し実行する。一方、ステップＳ２０８での判断が肯定された場合には、制御部２０Ａは、次のステップＳ２０９へ移行する。
【００４５】
次のステップＳ２０９では、制御部２０Ａは、通信部３５Ａに、通信の終了を指示する。これにより、デジタルカメラ１０Ａとデジタルカメラ１０Ｂとの通信が切断される。
【００４６】
一方、デジタルカメラ１０Ｂの制御部２０Ｂは、ステップＳ３０５において、通信部３５Ｂに送信対象の画像の受信を指示する。通信部３５Ｂは、デジタルカメラ１０Ａから送信される送信対象画像の受信を行う。
【００４７】
次のステップＳ３０６では、制御部２０Ｂは、受信した送信対象画像を例えば表示バッファ３３Ｂ、或いは不図示の記憶媒体などに保存する。
【００４８】
次のステップＳ３０７では、制御部２０Ｂは、送信対象画像の受信が完了したか否かを判断する。例えば、３枚すべての送信対象画像の受信が完了した場合には、ここでの判断は肯定され、３枚すべての送信対象画像の受信が完了していない場合には、ここでの判断は否定される。制御部２０Ｂは、ステップＳ３０７での判断が否定された場合には、ステップＳ３０５に戻り、ステップＳ３０７での判断が肯定されるまで、ステップＳ３０５〜ステップＳ３０７までの処理を繰り返し実行する。一方、ステップＳ３０７での判断が肯定された場合には、次のステップＳ３０８へ移行する。
【００４９】
次のステップＳ３０８では、制御部２０Ｂは、通信部３５Ｂに、通信の終了を指示する。これにより、デジタルカメラ１０Ａとデジタルカメラ１０Ｂとの通信が切断される。
【００５０】
以上説明したように、本実施形態では、デジタルカメラ１０Ａについて、送信対象画像の設定、送信枚数の設定、及び通信規格の選択が行われると、送信対象画像に重ねて、送信枚数に応じた例えばマークＭ２、及び選択された通信規格に応じた例えばマークＭ１が、表示部３２Ａに表示される。そして、ユーザによって、デジタルカメラ１０Ｂによるデジタルカメラ１０Ａの表示部３２Ａの撮影が行われると、デジタルカメラ１０Ｂの制御部２０Ｂは、撮影した画像に基づいて最適な通信規格を選択し、所定の枚数の送信対象画像を受信する。したがって、送信先となるデジタルカメラ１０Ｂのユーザは、デジタルカメラ１０Ａの表示部３２Ａを撮影するだけで、通信に必要な操作や、認証に必要なコードなどの情報を入力することなく、デジタルカメラ１０Ａから画像を取得することができる。
【００５１】
以上、本発明の実施形態について説明したが、本発明は上記実施形態によって限定されるものではない。
【００５２】
例えば、上記実施形態では、送信元のデジタルカメラ１０Ａは、表示部３２Ａに示される数字と図形との組み合わせからなるマークＭ２によって、送信枚数を表示したが、例えば図５に示される４角形のマークＭ３に応じたコマンドについては、その内容を例えば送信枚数が４枚であるなどと規定してもよい。また、送信先のデジタルカメラ１０Ｂは、表示部３２Ａの左上のコーナー部分などの所定の位置に示される数字を読み取って、その数字を送信枚数として把握することとしてもよい。
【００５３】
要するに、送信先のデジタルカメラ１０Ｂが、送信元のデジタルカメラ１０Ａの表示部３２Ａの表示内容に基づいて、送信規格等の設定を自動的に行うことができれば、送信元のデジタルカメラ１０Ａの表示部３２Ａに表示される図形等の形式は限定されない。
【００５４】
また、本実施形態では、ユーザが送信先のデジタルカメラ１０Ｂのシャッターボタンを押下することにより取得した画像に基づいて、通信規格等の設定が行われる場合について説明した。しかしながら、本発明はこれに限定されるものではなく、例えば、送信元のデジタルカメラ１０Ａの表示部３２Ａが、送信先のデジタルカメラ１０Ｂの視野内に位置するときのプレビュー画面に基づいて、送信先のデジタルカメラ１０Ｂの制御部２０Ｂが通信規格等の設定を実行することとしてもよい。
【００５５】
また、本実施形では、送信先のデジタルカメラ１０Ｂの制御部２０Ｂが、マークＭ１及びマークＭ２に応じたコマンドの内容を、送信元のデジタルカメラ１０Ａに通知し、送信元のデジタルカメラ１０Ａの制御部２０Ａが、通知された内容を用いて認証を行う場合について説明した。しかしながら、本発明はこれに限定されるものではなく、例えば、送信元のデジタルカメラ１０Ａの表示部３２Ａが、送信対象画像とともに、記号、文字、或いは数字等から構成されるコードを表示し、これを用いて、送信先のデジタルカメラ１０Ｂと送信元のデジタルカメラ１０Ａとの間の認証を行うこととしてもよい。
【００５６】
また、本実施形態では、送信元のデジタルカメラ１０Ａの表示部３２Ａには、マークＭ１等と、送信対象画像とが重ねて表示される場合について説明したが、これに限らず、送信元のデジタルカメラ１０Ａの表示部３２Ａには、マークＭ１等と、送信対象画像とが別個に表示されてもよい。また、送信元のデジタルカメラ１０Ａの表示部３２Ａには、送信対象画像とマークＭ１等とが、交互に表示されることとしてもよい。例えば、ユーザが肉眼で認識することが不可能な時間だけ、送信元のデジタルカメラ１０Ａの表示部３２ＡにマークＭ１等を表示させることとすれば、ユーザに送信対象画像のみを認識させることもできる。
【００５７】
また、本実施形では、送信元のデジタルカメラ１０Ａの表示部３２Ａに、通信規格に対応したマークＭ１、及び送信枚数に対応したマークＭ２のみが表示されることとしたが、通信に関する情報は、これらに限られるものではない。例えば、送信対象となる画像のサイズ、及びファイル形式などの情報それぞれに対応したマークを、送信元のデジタルカメラ１０Ａの表示部３２Ａに表示させることとしてもよい。
【００５８】
また、例えば送信対象画像の露光時間、シャッター速度などの撮影条件を、送信元のデジタルカメラ１０Ａの表示部３２Ａに表示し、送信先のデジタルカメラ１０Ｂは、当該デジタルカメラ１０Ｂによって撮影された画像からマークを抽出することで、送信対象画像の上記撮影条件を把握することとしてもよい。
【００５９】
また、上記実施形態においてデジタルカメラ１０の制御部に実行されるプログラムは、フレキシブルディスク、ＣＤ−ＲＯＭ（Compact Disk Read-Only Memory）、ＤＶＤ（Digital Versatile Disk）、ＭＯ（Magneto-Optical disk）等のコンピュータで読み取り可能な記録媒体に格納して配布し、そのプログラムを、デジタルカメラ１０にインストールすることにより、上述の処理を実行する装置を構成することとしてもよい。
【００６０】
また、プログラムをインターネット等の通信ネットワーク上の所定のサーバ装置が有するディスク装置等に格納しておき、例えば、搬送波に重畳させて、ダウンロード等するようにしても良い。
【００６１】
なお、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等しても良い。
【００６２】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００６３】
本発明の通信システム及び通信方法は、情報の通信を行うのに適している。
【符号の説明】
【００６４】
１０…デジタルカメラ、２０…制御部、２１…バス、３１…撮影ユニット、３２…表示部、３３…表示バッファ、３４…コマンド画像作成部、３５…通信部、３６…コマンド画像抽出部、３７…コマンド画像解析部、３８…コマンド入力部、Ｍ１、Ｍ２、Ｍ３…マーク
【図１】
2014042243.tif 000003
【図２】
2014042243.tif 000004
【図３】
2014042243.tif 000005
【図４】
2014042243.tif 000006
【図５】
2014042243.tif 000007
【手続補正書】
【提出日】平成25年9月13日(2013.9.13)
【手続補正１】
【補正対象書類名】明細書
【補正対象項目名】０００７
【補正方法】変更
【補正の内容】
【０００７】
上記目的を達成するため、本発明の通信システムは、無線方式を含む通信情報を表示装置に表示させる送信端末と、撮影手段を有し、前記表示装置を撮影して取得した前記通信情報に含まれる無線方式によって前記送信端末との無線接続を開始する受信端末と、を備える。
【手続補正２】
【補正対象書類名】明細書
【補正対象項目名】０００８
【補正方法】変更
【補正の内容】
【０００８】
また、前記無線方式は、無線ＬＡＮ、ブルートゥース、及びＩｒＤＡの何れか１つとしてもよい。
【手続補正３】
【補正対象書類名】明細書
【補正対象項目名】０００９
【補正方法】変更
【補正の内容】
【０００９】
また、前記通信情報は、前記送信端末と前記受信端末との間の認証情報を含み、前記送信端末は、前記受信端末と接続する際に、前記認証情報に基づく認証を実行することとしてもよい。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
上記目的を達成するために、本発明の通信方法は、送信端末と受信端末との間で情報を通信するための通信方法であって、前記送信端末に、無線方式を含む通信情報を表示させる工程と、前記受信端末に、前記送信端末が表示した画像を撮影させる工程と、前記受信端末に、前記撮影された画像から前記通信情報を取得させる工程と、前記受信端末に、前記通信情報に含まれる無線方式によって前記送信端末との無線接続を開始させる工程と、を含む。
【手続補正９】
【補正対象書類名】特許請求の範囲
【補正対象項目名】全文
【補正方法】変更
【補正の内容】
【特許請求の範囲】
【請求項１】
無線方式を含む通信情報を表示装置に表示させる送信端末と、
撮影手段を有し、前記表示装置を撮影して取得した前記通信情報に含まれる無線方式によって前記送信端末との無線接続を開始する受信端末と、
を備える通信システム。
【請求項２】
前記無線方式は、無線ＬＡＮ、ブルートゥース、及びＩｒＤＡの何れか１つである請求項１に記載の通信システム。
【請求項３】
前記通信情報は、前記送信端末と前記受信端末との間の認証情報を含み、
前記送信端末は、前記受信端末と接続する際に、前記認証情報に基づく認証を実行する請求項１又は２に記載の通信システム。
【請求項４】
前記通信情報は、通信情報の内容に応じた文字、数字、又は図形である請求項１乃至３のいずれか一項に記載の通信システム。
【請求項５】
送信端末と受信端末との間で情報を通信するための通信方法であって、
前記送信端末に、無線方式を含む通信情報を表示させる工程と、
前記受信端末に、前記送信端末が表示した画像を撮影させる工程と、
前記受信端末に、前記撮影された画像から前記通信情報を取得させる工程と、
前記受信端末に、前記通信情報に含まれる無線方式によって前記送信端末との無線接続を開始させる工程と、
を含む通信方法。